(57)【要約】【課題】  本発明は、複写物又は拡大鏡以外で真偽判別可能であり、複写機、プリンタでの複製が不可能な偽造防止印刷物を提供することを目的とする。【解決手段】  本発明の偽造防止印刷物は、基材の少なくとも一部に、第１の領域と第２の領域が隣接して配置され、第１の領域及び第２の領域は複数の微小表示体が配置されて成り、第１の領域に配置される微小文字と第２の領域に配置される微小文字は、同一の色彩で、かつ、インキの高さが異なって成ることを特徴とする偽造防止印刷物である。【選択図】  図４
2018079657.tif 000002
【特許請求の範囲】
【請求項１】
基材の少なくとも一部に、少なくとも第１の領域と第２の領域が隣接して配置され、第１の領域及び第２の領域は複数の微小表示体が配置されて成り、
第１の領域に配置される微小表示体と第２の領域に配置される微小表示体は、同一の色彩で、かつ、インキの高さが異なって成ることを特徴とする偽造防止印刷物。
【請求項２】
前記第１の領域に配置される微小表示体のインキの高さと前記第２の領域に配置される微小表示体のインキの高さの差が、１０μｍ以上の範囲であることを特徴とする請求項１記載の偽造防止印刷物。
【請求項３】
前記第１の領域及び前記第２の領域に配置されるいずれか一方の前記微小表示体のインキの高さが、潜像画像の濃度に対応して段階的に異なることを特徴とする請求項１記載の偽造防止印刷物。
【請求項４】
第１の領域に配置される微小表示体の幅方向の距離を１００％とした場合、第２の領域に配置される微小表示体の幅方向の距離は、８０％〜９５％又は１０５％〜１２０％であることを特徴とする請求項１から３までのいずれか一項記載の偽造防止印刷物。
【請求項５】
第１の領域に配置される微小表示体及び第２の領域に配置される微小表示体は、磁気インキ及び／又は赤外特性を有するインキであることを特徴とする請求項１から４までのいずれか一項記載の偽造防止印刷物。
【発明の詳細な説明】
【技術分野】
【０００１】
本発明は、銀行券、パスポート、有価証券、カード、印紙類、商品タグ、美術紙等の貴重品に適用する偽造防止印刷物に関するものである。
【背景技術】
【０００２】
現在、銀行券、パスポート、有価証券、カード、印紙類、商品タグ、美術紙等の貴重品には様々な偽造防止技術が用いられている。例えば、印刷技術によって施される偽造防止技術として肉眼では認識できない程度の大きさの表示体（以下「微小表示体」という。）が挙げられる。微小表示体は、複写機、スキャナ等の複写防止対策の一つとして有効であり、肉眼で視認しにくい１００μｍ〜１，０００μｍ程度の微細な文字、記号等を印刷する技術である。この微小表示体の真偽判別方法は、基材に印刷された微小表示体を拡大鏡で視認可能であり、更には複写機で複写すると微小表示体は正確に再現されないため、本物か複写物であるか否か容易に判別することができることを特徴とする。
【０００３】
例えば、所定の線の太さにおいて光学的に複写されない大きさの複数の微小文字を複写機で再現不可能な線の太さを含み線の太さを異ならせ、線の太さの異なる微小文字の組合せにより、目視によって、模様、図形、文字、背景等として認識される部分を含む印刷物が開示されている（例えば、特許文献１参照）。
【０００４】
また、微小文字から成る文字列が印刷された証券印刷物であって、所定の文字列が規則的に繰り返し配列されて成り、文字列を構成する少なくとも一つの微小文字の配置角度が、規則的に配列されて成る文字列に対し異なる形態とされて成る微小文字群が印刷された証券印刷物が開示されている（例えば、特許文献２参照）。
【０００５】
また、微小文字の集合模様が、潜像を施さない微小文字と、潜像を施す微小文字から成る複写防止模様を有する印刷物であって、潜像を施す微小文字は、長方形の微細図形によって、文字の形を成す直線部分を微細図形の長辺を用い、かつ、文字の形を成す曲線部分を微細図形の短辺を用いて構成され、微細図形同士の間隔を、複写機の走査解像度で得た隣接画素間距離以上の隔たりをもって配置され、潜像を施さない微小文字は、潜像を施す微小文字を構成する微細図形とは異なる微細図形で、かつ、潜像を施す微小文字と同一の画線面積率で構成された複写防止模様を有する印刷物が開示されている（例えば、特許文献３参照）。
【先行技術文献】
【特許文献】
【０００６】
【特許文献１】特許第３３８８５５２号
【特許文献２】特許第３９６２８３４号
【特許文献３】特許第３６８９７８４号
【発明の概要】
【発明が解決しようとする課題】
【０００７】
しかしながら、微小表示体は、複写物又は拡大鏡のみで真偽判別する偽造防止技術であり、他の方法で判別する要素が求められている。同様に、特許文献１から３までについても複写物又は拡大鏡で真偽判別する技術であったため、より偽造防止効果の高い微小表示体が求められている。
【０００８】
そこで、本発明は、前述した課題の解決を目的とするものであり、複写物又は拡大鏡以外で真偽判別可能であり、複写機、プリンタでの複製が困難な偽造防止印刷物を提供することを目的とする。
【課題を解決するための手段】
【０００９】
本発明の偽造防止印刷物は、基材の少なくとも一部に、第１の領域と第２の領域が隣接して配置され、第１の領域及び第２の領域は複数の微小表示体が配置されて成り、
第１の領域に配置される微小表示体と第２の領域に配置される微小表示体は、同一の色彩で、かつ、インキの高さが異なって成ることを特徴とする。
【００１０】
本発明の偽造防止印刷物は、第１の領域に配置される微小表示体のインキの高さと第２の領域に配置される微小表示体のインキの高さの差が、１０μｍ以上の範囲であることを特徴とする。
【００１１】
本発明の偽造防止印刷物は、第１の領域及び第２の領域に配置されるいずれか一方の微小表示体のインキの高さが、潜像画像の濃度に対応して段階的に異なることを特徴とする。
【００１２】
本発明の偽造防止印刷物は、第１の領域に配置される微小表示体の幅方向の距離を１００％とした場合、第２の領域に配置される微小表示体の幅方向の距離は、８０％〜９５％又は１０５％〜１２０％であることを特徴とする。
【００１３】
本発明の偽造防止印刷物は、第１の領域に配置される微小表示体及び第２の領域に配置される微小表示体が、磁気インキ及び／又は赤外特性を有するインキであることを特徴とする。
【発明の効果】
【００１４】
本発明の偽造防止印刷物は、複写物又は拡大鏡での真偽判別に加えて、基材を傾けて観察した場合に微小表示体群で形成した潜像画像が視認され、真偽判別することができる。また、本発明の偽造防止印刷物は、微小表示体自体にインキ高さを有するため、複写機、プリンタでの複製が困難となる。さらに、磁気インキ等で微小表示体を形成することによって、機械読取装置を用いて磁気波形又は赤外線画像によって真偽判別することができる。
【図面の簡単な説明】
【００１５】
【図１】第一の実施形態における偽造防止印刷物（１）の一例を示す平面図である。
【図２】第一の実施形態の形成領域（３）を示す拡大図である。
【図３】形成領域（３）のＸ−Ｘ´断面図である。
【図４】微小表示体（６）の配列のその他の形態である。
【図５】形成領域（３）を観察した際の観察点（Ｌ１、Ｌ２）を示す図である。
【図６】第一の実施形態における偽造防止印刷物（１）の作用を示す図である。
【図７】第一の実施形態における偽造防止印刷物（１）の作用の原理を示す図である。
【図８】第二の実施形態の形成領域（３´）を示す拡大図である。
【図９】第二の実施形態における偽造防止印刷物（１´）の作用を示す図である。
【図１０】第二の実施形態における偽造防止印刷物（１´）の作用の原理を示す図である。
【図１１】カモフラージュ画像を示す図である。
【発明を実施するための形態】
【００１６】
（第一の実施形態）
図１は、第一の実施形態における偽造防止印刷物（１）（以下「印刷物」という。）の一例を示す平面図である。印刷物（１）は、基材（２）上の少なくとも一部に、後述する潜像画像が形成された潜像画像形成領域（３）（以下「形成領域」という。）を有する。なお、図１に示すように、形成領域（３）以外の領域には、料額、文字、他の模様等の必要な情報が、公知の印刷方式（例えば、凹版印刷、オフセット印刷等）により施されていてもよい。
【００１７】
基材（２）は、上質紙、コート紙、アート紙等の用紙を用いることができる。基材（２）及びその色彩は、特に限定されるものではない。
【００１８】
図２は、本発明の印刷物（１）の形成領域（３）を示す拡大図である。形成領域（３）は、第１の領域（４）と第２の領域（５）が隣接して配置される。第１の領域（４）と第２の領域（５）には、複数の微小表示体（６）が配列される。詳細には、第１の領域（４）には複数の微小表示体（６ａ）が配列され、第２の領域（５）には複数の微小表示体（６ｂ）が配列される。微小表示体（６ａ）及び微小表示体（６ｂ）は直線的に第１の方向（Ｓ１方向）に規則的に配列されている。
【００１９】
図３は、図２のＸ−Ｘ´断面図である。図３に示すように第１の領域（４）に配置される微小表示体（６ａ）と第２の領域（５）に配置される微小表示体（６ｂ）は、同一の色彩で、かつ、インキの高さが異なる。また、第１の領域（４）に配置される微小表示体（６ａ）と第２の領域（５）に配置される微小表示体（６ｂ）の単位面積当たりの印刷面積率が同一又はほぼ同一である。また、微小表示体（６）の色彩は、基材の色彩と異なる必要がある。図３に示すように微小表示体（６ａ）は、微小表示体（６ｂ）よりもインキの高さが低い形態となっているが、微小表示体（６ａ）は、微小表示体（６ｂ）よりもインキの高さが高い形態であってもよい。以下、第一の実施形態において、微小表示体（６ａ）は、微小表示体（６ｂ）よりもインキの高さが低い形態で説明する。
【００２０】
微小表示体（６）のインキの高さは、１μｍ〜３００μｍ程度であり、微小表示体（６ａ）と微小表示体（６ｂ）のインキの高さの差は、１０μｍ以上を有していることが好ましい。インキの高さの差が１０μｍより小さいと後述する潜像画像の視認性を有さないおそれが生じる。また、ここでいう、同一の色彩とは、変角分光光度計でΔＥが３以下のことである。
【００２１】
本発明の構成である微小表示体とは、文字、記号、数字、ロゴマーク又は特殊記号等のことである。また、微小表示体の大きさについては、１００μｍから１，０００μｍまでの範囲、好ましくは３００μｍから６００μｍまでである。１００μｍより小さい場合には、微小表示体自体の作製が困難であり、１，０００μｍより大きくなると目視で微小表示体が認識できてしまい微小表示体の効果が得られなくなるおそれが生じる。なお、微小表示体の大きさとは、文字の高さ及び／又は幅の長さのことである。
【００２２】
本発明の微小表示体（６）の配列は、図２に記載されているような直線に限定されることなく、図４（ａ）に示すような曲線、図４（ｂ）に示すような円形等で形成することができる。また、微小表示体（６）の配列は、Ｓ１方向に限定されることなく、３６０°のいずれの方向でも配列することができる。
【００２３】
本発明の微小表示体（６）の印刷方式は、インキの高さが１μｍ〜３００μｍ程度を作製することが可能であれば、特に限定されるものではない。よって、微小表示体（６ａ）と微小表示体（６ｂ）は、オフセット印刷、凹版印刷、スクリーン印刷、グラビア印刷、インクジェット印刷等の印刷方式で一度刷り又は二度刷り以上で印刷することができる。
【００２４】
図５（ａ）は、形成領域（３）を真上から観察（以下「第１の観察点（Ｌ１）」という。）した場合であり、図５（ｂ）は、形成領域（３）を斜めから観察（以下「第２の観察点（Ｌ２）」という。）した場合である。次に、潜像画像（６）について、詳細に説明する。
【００２５】
（形態１の作用）
図６（ａ）は印刷物（１）の形成領域（３）を第１の観察点（Ｌ１）から観察した場合の状態である。印刷物（１）を第１の観察点（Ｌ１）から観察した場合は、第１の領域（４）と第２の領域（５）を区分けして視認することができない。図６（ａ）は、第２の領域（５）を点線で記載しているが、本発明を説明するために記載したものであり実際に肉眼で視認されるものではない。
【００２６】
これは、第１の領域（４）に配置される微小表示体（６ａ）と第２の領域（５）に配置される微小表示体（６ｂ）は、同一の色彩で形成されており、更には、第１の領域（４）に配置される微小表示体（６ａ）と第２の領域（５）に配置される微小表示体（６ｂ）の単位面積当たりの微小表示体の印刷面積率が同一又はほぼ同一であることから、第１の領域（４）と第２の領域（５）は区分けして視認することができず、潜像模様が視認できない。
【００２７】
図６（ｂ）は印刷物（１）の形成領域（３）を第２の観察点（Ｌ２）から観察した場合の状態である。印刷物（１）の形成領域（３）を第２の観察点（Ｌ２）から観察した場合は、第１の領域（４）と第２の領域（５）が異なる濃度で視認され、潜像画像（７）が視認できる。
【００２８】
これは、第１の領域（４）に配置される微小表示体（６ａ）のインキ高さより、第２の領域（５）に配置される微小表示体（６ｂ）のインキの高さの方が高いことに起因する。図７（ａ）に示すように第１の領域（４）に配置される微小表示体（６ａ）は、観察角度θ１及び微小表示体（６ａ）のインキ高さに起因して隣り合う微小表示体（６ａ）同士が重なり合って視認されることがない。また、非画線部（８ａ）は、微小表示体（６ａ）のインキ高さに起因して全部が遮断されることがないため、隠蔽領域（９ａ）を有する。一方、図７（ｂ）に示すように第２の領域（５）に配置される微小表示体（６ｂ）は、観察角度θ１及び微小表示体（６ｂ）のインキ高さに起因して隣り合う微小表示体（６ｂ）同士が重なり合って視認される。また、非画線部（８ｂ）は、微小表示体（６ｂ）のインキ高さに起因して全てが遮断され、隠蔽領域（９ｂ）を有する。以上のことから、第１の領域（４）の隠蔽領域（９ａ）は、第２の領域（５）の隠蔽領域（９ｂ）よりも小さいため、明るい明度で視認される。よって、図６（ｂ）に示すように第１の領域（４）と第２の領域（５）に明度差が生じて潜像模様（７）が視認される。また、観察方向については、特に限定さるものではなく、３６０°のいずれの方向でも観察することができる。
【００２９】
（第二の実施形態）
図８は、第二の実施形態における印刷物（１´）の形成領域（３´）を示す拡大図である。なお、第一の実施形態と同様の内容についての一部の説明は、省略する。
【００３０】
第一の実施形態と同様に、第二の実施形態の印刷物（１´）は、図８に示すように形成領域（３´）は、第１の領域（４´）と第２の領域（５´）が隣接して配置される。第１の領域（４´）と第２の領域（５´）には、複数の微小表示体（６´）が配列される。詳細には、第１の領域（４´）には複数の微小表示体（６ａ´）が配列され、第２の領域（５´）には複数の微小表示体（６ｂ´）が配列される。微小表示体（６ａ´）及び微小表示体（６ｂ´）は直線的に第１の方向（Ｓ１方向）に規則的に配列されている。第１の領域（４´）に配置される微小表示体（６ａ´）と第２の領域（５´）に配置される微小表示体（６ｂ´）は、同一の色彩で、かつ、インキの高さが異なる。また、第１の領域（４´）に配置される微小表示体（６ａ´）と第２の領域（５´）に配置される微小表示体（６ｂ´）の単位面積当たりの印刷面積率が同一又はほぼ同一である。また、微小表示体（６´）の色彩は、基材の色彩と異なる必要がある。
【００３１】
次に、第一の実施形態の印刷物（１）と異なる点について説明する。第一の実施形態の印刷物（１）は、図２に示した観察方向からの微小表示体（６ａ）と微小表示体（６ｂ）の幅方向の距離は同一であるが、第二の実施形態の印刷物（１´）は、図８に示した観察方向からの微小表示体（６ａ´）と微小表示体（６ｂ´）の幅方向の距離は異なっていることが必須の構成である。
【００３２】
ここで、幅方向の距離が異なっている範囲は、微小表示体（６ａ´）の幅方向の距離を１００％とした場合、微小表示体（６ｂ´）の幅方向の距離は８０％〜９５％又は１０５％〜１２０％である必要がある。例えば、第１の領域（４´）に配置される微小表示体（６ａ´）が第２の領域（５´）に配置される微小表示体（６ｂ´）より、インキ高さが低い場合において、微小表示体（６ａ´）の幅方向の距離を１００％とした場合に、微小表示体（６ｂ´）の幅方向の距離を１０５％〜１２０％の範囲で設定する。１０５％よりも低い場合は、第一の実施形態の印刷物（１）よりも優れた潜像画像の視認性効果を得ることができず、１２０％を超えた場合は、図５（ａ）に示した第１の観察点（Ｌ１）から観察した際、潜像画像の輪郭が視認されるおそれが生じる。また、第１の領域（４´）に配置される微小表示体（６ａ´）が第２の領域（５´）に配置される微小表示体（６ｂ´）より、インキ高さが高い場合において、微小表示体（６ａ´）の幅方向の距離を１００％とした場合に、微小表示体（６ｂ´）の幅方向の距離を８０％〜９５％の範囲で設定する。９５％を超えた場合は、第一の実施形態の印刷物（１）よりも優れた潜像画像の視認性効果を得ることができず、８０％よりも低い場合は、図５（ａ）に示した第１の観察点（Ｌ１）から観察した場合の状態で潜像画像の輪郭が視認されるおそれが生じる。
【００３３】
（形態２の作用）
図９（ａ）は印刷物（１´）の形成領域（３´）を第１の観察点（Ｌ１）から観察した場合の状態である。印刷物（１´）の第１の観察点（Ｌ１）から観察した場合は、第１の領域（４´）と第２の領域（５´）を区分けして視認することができない。図９（ａ）は、第２の領域（５´）を点線で記載しているが、本発明を説明するために記載したものであり実際に肉眼で視認されるものではない。
【００３４】
図９（ｂ）は印刷物（１´）の形成領域（３´）を第２の観察点（Ｌ２）から観察した場合の状態である。印刷物（１´）を第２の観察点（Ｌ２）から観察した場合は、第１の領域（４´）と第２の領域（５´）が異なる濃度で視認され、潜像画像（７´）が視認できる。第二の実施形態の印刷物（１´）の潜像画像（７´）は、第一の実施形態の印刷物（１）の第１の領域（４）と第２の領域（５）の明度差に比べて、第１の領域（４´）と第２の領域（５´）の明度差が大きくなることから視認性に優れる。
【００３５】
これは、第一の実施形態の印刷物（１）の理由に加えて、図８に示した観察方向からの微小表示体（６ａ´）と微小表示体（６ｂ´）の幅方向の距離が異なっていることに起因する。図１０（ａ）に示す第１の領域（４´）に配置される微小表示体（６ａ´）の幅方向の距離（１０ａ）は、図１０（ｂ）に示す第２の領域（５´）に配置される微小表示体（６ｂ´）の距離（１０ｂ）より短いため、明るい明度で視認される。よって、図９（ｂ）に示すように第１の領域（４´）と第２の領域（５´）に明度差が生じて潜像模様（７´）が視認される。
【００３６】
（第三の実施形態）
第三の実施形態における印刷物（１´´）は、第一の実施形態の印刷物（１）又は第二の実施形態の印刷物（１´）を磁気インキ、赤外特性を有するインキで形成することを特徴とする。磁気インキで印刷した場合において、第１の領域（４´´）の微小表示体（６ａ´´）と、第２の領域（５´´）の微小表示体（６ｂ´´）は、インキの高さが異なっているため、インキの高さが高い領域は磁気波形が高く、インキの高さが低い領域は磁気波形が低く抽出されるため、抽出される波形を利用して真偽判別することができる。赤外特性を有するインキで印刷した場合において、第１の領域（４´´）の微小表示体（６ａ´´）は赤外透過特性を有するインキで印刷し、第２の領域（５´´）の微小表示体（６ｂ´´）は赤外吸収特性を有するインキで印刷した場合、インキの高さが異なっているため、インキの高さが高い領域は赤外波形が高く、インキの高さが低い領域は赤外波形が低く抽出されるため、抽出される波形を利用して真偽判別することができる。
【００３７】
第一の実施形態の印刷物（１）、第二の実施形態の印刷物（１´）、第三の実施形態の印刷物（１´´）は、必要に応じて、赤外線特性を有するインキ、紫外線特性を有するインキ、光輝性インキ等によって印刷することができる。
【００３８】
第一の実施形態の印刷物（１）、第二の実施形態の印刷物（１´）、第三の実施形態の印刷物（１´´）は、第１の領域及び第２の領域に配置されるいずれか一方の潜像画像となる領域の微小表示体のインキの高さが、段階的に変化して潜像画像が明暗を有する階調画像として形成することができる。
【００３９】
第一の実施形態の印刷物（１）、第二の実施形態の印刷物（１´）、第三の実施形態の印刷物（１´´）は、微小表示体、画線及び曲画線等で図１１に示すカモフラージュ画像を設けることができる。
【符号の説明】
【００４０】
１、１´、１´´          印刷物
２、２´、２´´          基材
３、３´、３´´          形成領域
４、４´、４´´          第１の領域
５、５´、５´´          第２の領域
６                        微小表示体
６ａ、６ａ´、６ａ´´    微小表示体
６ｂ、６ｂ´、６ｂ´´    微小表示体
７、７´                  潜像画像
８ａ、８ｂ                非画線部
９ａ、９ｂ                隠蔽領域
１０ａ、１０ｂ            距離
１１                      カモフラージュ画像
Ｌ１                      第１の観察点
Ｌ２                      第２の観察点
Ｓ１                      第１の方向
【図１】
2018079657.tif 000003
【図２】
2018079657.tif 000004
【図３】
2018079657.tif 000005
【図４】
2018079657.tif 000006
【図５】
2018079657.tif 000007
【図６】
2018079657.tif 000008
【図７】
2018079657.tif 000009
【図８】
2018079657.tif 000010
【図９】
2018079657.tif 000011
【図１０】
2018079657.tif 000012
【図１１】
2018079657.tif 000013